(57)【要約】      （修正有）【課題】安定してＵＳＢプラグコネクタを保持することができるＵＳＢ規格準拠レセプタクルコネクタを提供する。【解決手段】ＵＳＢ規格に準拠したＵＳＢプラグコネクタを嵌合方向に沿って嵌合抜去可能であり、第２コンタクト及び前記第２絶縁材を覆い前記プラグシェルに対して嵌合の離脱を阻止する方向に保持するロック部１２ｂと電気的な接続部１４と前記第１嵌合部と嵌合する第２嵌合部とが設けられたシェル４を有するＵＳＢ規格に準拠したＵＳＢ規格準拠レセプタクルコネクタ２であって、前記ロック部は前記嵌合方向に延びるばね部１２の先端部近傍に設けられており、前記ばね部の根元１２ａの第２コンタクト配列ピッチ方向であるピッチ方向の幅の中心点と、前記ロック部の前記ピッチ方向の幅の中心点との関係が、前記ロック部の中心点よりも前記根元の中心点のほうが前記シェルの前記ピッチ方向の幅の中心線から遠く又は近くに配置されている。【選択図】図１
2016106343.tif 000002
【特許請求の範囲】
【請求項１】
第１コンタクトと、前記第１コンタクトを保持する第１絶縁材と、前記第１コンタクト及び前記第１絶縁材を覆い第１嵌合部が形成されたプラグシェルとを有するＵＳＢ規格に準拠したＵＳＢプラグコネクタを嵌合方向に沿って嵌合抜去可能であり、
第２コンタクトと、前記第２コンタクトを保持する絶縁材と、前記第２コンタクト及び前記第２絶縁材を覆い前記プラグシェルに対して嵌合の離脱を阻止する方向に保持するロック部と電気的な接続部と前記第１嵌合部と嵌合する第２嵌合部とが設けられたシェルを有するＵＳＢ規格に準拠したＵＳＢ規格準拠レセプタクルコネクタであって、
前記ロック部は前記嵌合方向に延びるばね部の先端部近傍に設けられており、前記ばね部の根元の第２コンタクト配列ピッチ方向であるピッチ方向の幅の中心点と、前記ロック部の前記ピッチ方向の幅の中心点との関係が、前記ロック部の中心点よりも前記根元の中心点のほうが前記シェルの前記ピッチ方向の幅の中心線から遠く又は近くに配置されていることを特徴としたＵＳＢ規格準拠レセプタクルコネクタ。
【請求項２】
請求項１に記載のＵＳＢ規格準拠レセプタクルコネクタであって、
前記ばね部の根元の前記ピッチ方向の幅の中心点を通り前記嵌合方向と平行な中心線は、前記ロック部の前記ピッチ方向の幅の範囲外にあることを特徴としたＵＳＢ規格準拠レセプタクルコネクタ。
【請求項３】
請求項１または請求項２に記載のＵＳＢ規格準拠レセプタクルコネクタであって、
前記ロック部と前記ばね部の根元との前記嵌合方向の中間位置における前記ピッチ方向の前記ばね部の幅の中心点が、前記ロック部の前記ピッチ方向の幅の中心点と前記ばね部の根元の前記ピッチ方向の幅の中心点を結ぶ線よりも、前記シェルの前記ピッチ方向の幅の中心線に近く又は遠くに配置されたことを特徴としたＵＳＢ規格準拠レセプタクルコネクタ。
【請求項４】
請求項１〜３のいずれか一項に記載のＵＳＢ規格準拠レセプタクルコネクタであって、
前記ばね部の根元と前記シェルの前記ピッチ方向の幅の中心線との間に、前記プラグシェルとの電気的な接続部を１つ以上形成したことを特徴としたＵＳＢ規格準拠レセプタクルコネクタ。
【請求項５】
請求項１〜３のいずれか一項に記載のＵＳＢ規格準拠レセプタクルコネクタであって、
前記ばね部の根元よりも、前記シェルの前記ピッチ方向の側面側に、前記プラグシェルとの電気的な接続部を１つ以上形成したことを特徴としたＵＳＢ規格準拠レセプタクルコネクタ。
【請求項６】
請求項１〜３のいずれか一項に記載のＵＳＢ規格準拠レセプタクルコネクタであって、
前記ロック部よりも、前記シェルの前記ピッチ方向の側面側に、前記プラグシェルとの電気的な接続部を１つ以上形成したことを特徴としたＵＳＢ規格準拠レセプタクルコネクタ。
【請求項７】
請求項１〜３のいずれか一項に記載のＵＳＢ規格準拠レセプタクルコネクタであって、
前記ロック部と前記シェルの前記ピッチ方向の幅の中心線との間に、前記プラグシェルとの電気的な接続部を１つ以上形成したことを特徴としたＵＳＢ規格準拠レセプタクルコネクタ。
【請求項８】
請求項１〜３のいずれか一項に記載のＵＳＢ規格準拠レセプタクルコネクタであって、
前記ばね部の根元と前記シェルの前記ピッチ方向の幅の中心線との間、及び、前記ロック部よりも、前記シェルの前記ピッチ方向の側面側に、それぞれ前記プラグシェルとの電気的な接続部を１つ以上形成したことを特徴としたＵＳＢ規格準拠レセプタクルコネクタ。
【請求項９】
請求項１〜３のいずれか一項に記載のＵＳＢ規格準拠レセプタクルコネクタであって、
前記ばね部の根元よりも、前記シェルの前記ピッチ方向の側面側、及び、前記ロック部と前記シェルの前記ピッチ方向の幅の中心線との間に、それぞれ前記プラグシェルとの電気的な接続部を１つ以上形成したことを特徴としたＵＳＢ規格準拠レセプタクルコネクタ。
【発明の詳細な説明】
【技術分野】
【０００１】
本発明は、ＵＳＢ規格準拠レセプタクルコネクタに関するものである。
【背景技術】
【０００２】
従来、ＵＳＢプラグコネクタを保持するロック部を有するレセプタクルコネクタが知られている（例えば、特許文献１参照）。このレセプタクルコネクタにおいては、コンタクト及びコンタクトを保持する絶縁材を覆うシェルの上面及び底面に板バネが設けられており、板バネの先端部に形成されたロック部により、ＵＳＢプラグコネクタと嵌合した際にＵＳＢプラグコネクタの導電性シェルを保持する。
【先行技術文献】
【特許文献】
【０００３】
【特許文献１】特開２０１３−３０４５２号公報
【発明の概要】
【発明が解決しようとする課題】
【０００４】
ところでレセプタクルコネクタにおいては、ＵＳＢプラグコネクタと嵌合した際に、安定してＵＳＢプラグコネクタを保持することが望まれている。
【０００５】
本発明の目的は、安定してＵＳＢプラグコネクタを保持することができるＵＳＢ規格準拠レセプタクルコネクタを提供することである。
【課題を解決するための手段】
【０００６】
本発明のＵＳＢ規格準拠レセプタクルコネクタは、第１コンタクトと、前記第１コンタクトを保持する第１絶縁材と、前記第１コンタクト及び前記第１絶縁材を覆い第１嵌合部が形成されたプラグシェルとを有するＵＳＢ規格に準拠したＵＳＢプラグコネクタを嵌合方向に沿って嵌合抜去可能であり、第２コンタクトと、前記第２コンタクトを保持する絶縁材と、前記第２コンタクト及び前記第２絶縁材を覆い前記プラグシェルに対して嵌合の離脱を阻止する方向に保持するロック部と電気的な接続部と前記第１嵌合部と嵌合する第２嵌合部とが設けられたシェルを有するＵＳＢ規格に準拠したＵＳＢ規格準拠レセプタクルコネクタであって、前記ロック部は前記嵌合方向に延びるばね部の先端部近傍に設けられており、前記ばね部の根元の第２コンタクト配列ピッチ方向であるピッチ方向の幅の中心点と、前記ロック部の前記ピッチ方向の幅の中心点との関係が、前記ロック部の中心点よりも前記根元の中心点のほうが前記シェルの前記ピッチ方向の幅の中心線から遠く又は近くに配置されていることを特徴とする。
【０００７】
また、本発明のＵＳＢ規格準拠レセプタクルコネクタは、前記ばね部の根元の前記ピッチ方向の幅の中心点を通り前記嵌合方向と平行な中心線が、前記ロック部の前記ピッチ方向の幅の範囲外にあることを特徴とする。
【０００８】
また、本発明のＵＳＢ規格準拠レセプタクルコネクタは、前記ロック部と前記ばね部の根元との前記嵌合方向の中間位置における前記ピッチ方向の前記ばね部の幅の中心点が、前記ロック部の前記ピッチ方向の幅の中心点と前記ばね部の根元の前記ピッチ方向の幅の中心点を結ぶ線よりも、前記シェルの前記ピッチ方向の幅の中心線に近く又は遠くに配置されたことを特徴とする。
【０００９】
また、本発明のＵＳＢ規格準拠レセプタクルコネクタは、前記ばね部の根元と前記シェルの前記ピッチ方向の幅の中心線との間に、前記プラグシェルとの電気的な接続部を１つ以上形成したことを特徴とする。
【００１０】
また、本発明のＵＳＢ規格準拠レセプタクルコネクタは、前記ばね部の根元よりも、前記シェルの前記ピッチ方向の側面側に、前記プラグシェルとの電気的な接続部を１つ以上形成したことを特徴とする。
【００１１】
また、本発明のＵＳＢ規格準拠レセプタクルコネクタは、前記ロック部よりも、前記シェルの前記ピッチ方向の側面側に、前記プラグシェルとの電気的な接続部を１つ以上形成したことを特徴とする。
【００１２】
また、本発明のＵＳＢ規格準拠レセプタクルコネクタは、前記ロック部と前記シェルの前記ピッチ方向の幅の中心線との間に、前記プラグシェルとの電気的な接続部を１つ以上形成したことを特徴とする。
【００１３】
また、本発明のＵＳＢ規格準拠レセプタクルコネクタは、前記ばね部の根元と前記シェルの前記ピッチ方向の幅の中心線との間、及び、前記ロック部よりも、前記シェルの前記ピッチ方向の側面側に、それぞれ前記プラグシェルとの電気的な接続部を１つ以上形成したことを特徴とする。
【００１４】
また、本発明のＵＳＢ規格準拠レセプタクルコネクタは、前記ばね部の根元よりも、前記シェルの前記ピッチ方向の側面側、及び、前記ロック部と前記シェルの前記ピッチ方向の幅の中心線との間に、それぞれ前記プラグシェルとの電気的な接続部を１つ以上形成したことを特徴とする。
【発明の効果】
【００１５】
本発明によれば、安定してＵＳＢプラグコネクタを保持することができるＵＳＢ規格準拠レセプタクルコネクタを提供することができる。
【図面の簡単な説明】
【００１６】
【図１】実施の形態に係るＵＳＢ規格準拠レセプタクルコネクタを上方向から視た斜視図である。
【図２】実施の形態に係るＵＳＢ規格準拠レセプタクルコネクタを下方向から視た斜視図である。
【図３】実施の形態に係るＵＳＢ規格準拠レセプタクルコネクタの上面図である。
【図４】実施の形態に係るＵＳＢプラグコネクタを上方向から視た斜視図である。
【図５】実施の形態に係るＵＳＢ規格準拠レセプタクルコネクタのロック部よりも側面側に電気的接地バネを形成する場合の領域を示す図である。
【図６】実施の形態に係る他のバネ部の形状を示す図である。
【発明を実施するための形態】
【００１７】
以下、図面を参照して、本発明の実施の形態に係るＵＳＢ規格準拠レセプタクルコネクタについて説明する。図１は本発明の実施の形態に係るＵＳＢ規格準拠レセプタクルコネクタを上方向から視た斜視図であり、図２は本発明の実施の形態に係るＵＳＢ規格準拠レセプタクルコネクタを下方向から視た斜視図であり、図３は本発明の実施の形態に係るＵＳＢ規格準拠レセプタクルコネクタの上面図である。また、図４は本発明の実施の形態に係るＵＳＢ規格準拠レセプタクルコネクタと嵌合するＵＳＢプラグコネクタを上方向から視た斜視図である。なお、図１〜図３においてはＸＹＺ直交座標系を設定し、このＸＹＺ直交座標系を参照しつつ各部材の位置関係について説明する。Ｘ軸及びＹ軸は後述する導電性シェルの上面に対して平行で、かつＸ軸は導電性シェルの上面の幅方向であるピッチ方向と平行となるように、Ｙ軸はＵＳＢ規格準拠レセプタクルコネクタにＵＳＢプラグコネクタを嵌合させる方向（嵌合方向）と平行になるように設定されている。またＺ軸は導電性シェルの上面に対して直交する方向に設定されている。なお、以下の実施の形態の説明においては導電性シェルの図１〜３における＋Ｙ方向の端部を前端部、−Ｙ方向の端部を後端部とする。
【００１８】
ＵＳＢ規格準拠レセプタクルコネクタ２は、ＵＳＢ規格に準拠した標準ＵＳＢプラグコネクタ（ＵＳＢプラグコネクタ２０（図４参照））を嵌合方向に沿って嵌合抜去可能なものであり、複数のコンタクト（図示せず）と、複数のコンタクトをピッチ方向に沿って列設保持する絶縁材（図示せず）と、コンタクト及び絶縁材の周囲を覆い、かつＵＳＢプラグコネクタ２０を嵌合させる嵌合部１０が形成された導電性シェル４とを備えている。
【００１９】
導電性シェル４は、導電体からなり、ピッチ方向（Ｘ方向）に長く、厚さ方向（Ｚ方向）に短い矩形状の断面を有する角筒形状を有している。導電性シェル４の前端部側及び後端部側の左右の側面部には、ＵＳＢ規格準拠レセプタクルコネクタ２を回路基板に実装する際に用いられる半田ツメ６が設けられている。ＵＳＢ規格準拠レセプタクルコネクタ２は、半田ツメ６の先端部が回路基板に半田付けされることにより回路基板に実装される。
【００２０】
図１に示すように、導電性シェル４の上面には、ＵＳＢ規格準拠レセプタクルコネクタ２がＵＳＢプラグコネクタ２０と嵌合した際に、ＵＳＢプラグコネクタ２０のプラグシェル２２（図４参照）を機械的に保持するバネ部１２が２つ設けられている。
【００２１】
バネ部１２は、前端部側（＋Ｙ方向）に延びる板バネ状の弾性バネ部材であって、先端部近傍に設けられた爪形状のロック部１２ｂに対し、バネ部１２の根元部１２ａがピッチ方向の外側に配置されるように屈曲した形状を有している。即ちバネ部１２は、根元部１２ａが導電性シェル４の上面における側面部近傍に形成され、ロック部１２ｂから根元部１２ａに向かって導電性シェル４のピッチ方向の外側に屈曲した形状を有している。ここでロック部１２ｂは、導電性シェル４の内部空間側に突出している。２つのバネ部１２は、導電性シェル４の上面のピッチ方向の中心を通りピッチ方向に直交する線に対して対称な位置に設けられている。
【００２２】
図２に示すように、導電性シェル４の底面にも前端部側（＋Ｙ方向）に延びる板バネ状の弾性バネ部材であるバネ部１２が２つ設けられている。底面側のバネ部１２は、上面側のバネ部１２と同様にロック部１２ｂから根元部１２ａに向かってピッチ方向の外側に屈曲した形状を有している。即ち底面側のバネ部１２は、根元部１２ａが導電性シェル４の底面における側面部近傍に形成され、ロック部１２ｂから根元部１２ａに向かって導電性シェル４のピッチ方向の外側に屈曲した形状を有している。ここでロック部１２ｂは、導電性シェル４の内部空間側に突出している。底面側の２つのバネ部１２は、導電性シェル４の底面のピッチ方向の中心を通りピッチ方向に直交する線に対して対称な位置に設けられている。
【００２３】
図３を参照して上述したバネ部１２のより具体的な形状及び配置について説明する。図３において、導電性シェル４のピッチ方向の幅をＡとし、幅Ａの中心点を通り嵌合方向に平行な線をシェル中心線３０とする。また、根元部１２ａのピッチ方向の幅をＢとし、幅Ｂの中心点を根元部中心点３２とする。また、ロック部１２ｂのピッチ方向の幅をＣとし、幅Ｃの中心点をロック部中心点３４とする。また、根元部１２ａとロック部１２ｂとの嵌合方向の中心を通りピッチ方向に平行な線を中心線３６とし、中心線３６が通るバネ部１２のピッチ方向の幅の中心点をバネ幅中心点３８とする。
【００２４】
バネ部１２は、根元部１２ａの根元部中心点３２とロック部１２ｂのロック部中心点３４との関係が、ロック部中心点３４よりも根元部中心点３２のほうがシェル中心線３０から遠くに配置された形状を有している。またバネ幅中心点３８が根元部中心点３２とロック部中心点３４とを結ぶ直線４０よりもシェル中心線３０の近くに配置されるように、中心線３６近傍で湾曲した形状を有している。
【００２５】
また根元部１２ａとロック部１２ｂは、根元部中心点３２を通り嵌合方向に平行な線４２が、ロック部１２ｂの幅Ｃの範囲外、即ち根元部中心点３２のピッチ方向における位置がロック部１２ｂのピッチ方向における位置よりもピッチ方向の外側に位置するように形成されている。
【００２６】
本実施の形態では、バネ部１２をロック部１２ｂから根元部１２ａに向かってピッチ方向の外側に屈曲させた形状とし、かつ導電性シェル４の上面において根元部１２ａを側面部近傍に形成したことにより、２つの根元部１２ａ間に電気的な接続部となる電気的接地バネを形成するための電気的接地バネ形成領域を確保し、電気的接地バネ形成領域に２つの電気的接地バネ１４が形成されている。
【００２７】
電気的接地バネ１４は、前端部側（＋Ｙ方向）に延びる板バネ状の弾性バネ部材であって、先端部が導電性シェル４の内部空間側に突出している。また２つの電気的接地バネ１４は導電性シェル４のピッチ方向の中心を通るシェル中心線３０に対して対称な位置に形成されている。即ち電気的接地バネ１４は、根元部１２ａと導電性シェル４のシェル中心線３０との間に１つずつ形成されている。
【００２８】
また、導電性シェル４の底面においても、上面側と同様に、バネ部１２をロック部１２ｂから根元部１２ａに向かってピッチ方向の外側に屈曲させ、根元部１２ａを側面部近傍に形成したことにより、２つの根元部１２ａ間に電気的接地バネ形成領域を確保し、その領域に２つの電気的接地バネ１４を形成している。
【００２９】
底面側の電気的接地バネ１４は、前端部側（＋Ｙ方向）に延びる板バネ状の弾性バネ部材であって、先端部が導電性シェル４の内部空間側に突出している。また底面側の２つの電気的接地バネ１４は、導電性シェル４のピッチ方向の中心を通るシェル中心線３０に対して対称な位置に形成されている。即ち底面側の電気的接地バネ１４は、根元部１２ａと導電性シェル４のシェル中心線３０との間に１つずつ形成されている。
【００３０】
更に導電性シェル４の両側面には、板バネ状の弾性バネ部材であって、導電性シェル４の内部空間側に突出する電気的接地バネ１６が形成されている。
【００３１】
図４に示すようにＵＳＢプラグコネクタ２０は、複数のコンタクト（図示せず）と、複数のコンタクトをピッチ方向に沿って列設保持する絶縁材２１と、コンタクト及び絶縁材を覆い、嵌合部を形成したＵＳＢ規格準拠レセプタクルコネクタ２に嵌合する嵌合部が形成されたプラグシェル２２を備えている。またＵＳＢプラグコネクタ２０のプラグシェル２２の上面には、バネ部１２のロック部１２ｂが嵌まる、略矩形状の孔である２つの開口部２４が設けられている。
【００３２】
開口部２４は、ＵＳＢ規格準拠レセプタクルコネクタ２にＵＳＢプラグコネクタ２０を嵌合させた際に導電性シェル４の上面側のロック部１２ｂに対向する位置に設けられている。なお、図４に示していないが、プラグシェル２２の底面には、２つの開口部２４が設けられており、この開口部２４はＵＳＢ規格準拠レセプタクルコネクタ２にＵＳＢプラグコネクタ２０を嵌合させた際に、導電性シェル４の底面側のロック部１２ｂに対向する位置に設けられている。
【００３３】
次に、ＵＳＢ規格準拠レセプタクルコネクタ２にＵＳＢプラグコネクタ２０を嵌合させる場合について説明する。ＵＳＢ規格準拠レセプタクルコネクタ２にＵＳＢプラグコネクタ２０を挿入する際は、プラグシェル２２の外壁面が導電性シェル４の内壁面に沿って挿入され、ＵＳＢ規格準拠レセプタクルコネクタ２にＵＳＢプラグコネクタ２０が嵌合した状態となる。
【００３４】
この場合、各バネ部１２のロック部１２ｂは、導電性シェル４の内部空間側に突出しているので、導電性シェル４の上面側の２つのロック部１２ｂはプラグシェル２２の上面側の２つの開口部２４に嵌まり、また導電性シェル４の底面側の２つのロック部１２ｂはプラグシェル２２の底面側の２つの開口部２４に嵌まる。これによりロック部１２ｂがプラグシェル２２に対して嵌合の離脱を阻止する方向に保持した状態となる。
【００３５】
ここでバネ部１２は、ロック部１２ｂ側から根元部１２ａ側に向かってピッチ方向の外側に屈曲した形状を有しているので、単にロック部側から根元部側に向かって直線的に延びる形状と比較し、ねじりの力が加わるためプラグシェル２２の上面及び底面をより強く押し付けて、ＵＳＢ規格準拠レセプタクルコネクタ２に嵌合しているＵＳＢプラグコネクタ２０の保持を安定させることができる。
【００３６】
また電気的接地バネ１４は、先端部が導電性シェル４の内部空間側に突出しているので、ＵＳＢ規格準拠レセプタクルコネクタ２にＵＳＢプラグコネクタ２０を嵌合させると、導電性シェル４の上面側の２つの電気的接地バネ１４は、プラグシェル２２の上面に接触し、また導電性シェル４の底面側の２つの電気的接地バネ１４は、プラグシェル２２の底面に接触する。更に２つの電気的接地バネ１６は、先端部が導電性シェル４の内部空間側に突出しているので、プラグシェル２２の側面に接触する。
【００３７】
従って導電性シェル４は、上面及び底面に２つずつ設けた電気的接地バネ１４と、両側面に１つずつ設けた電気的接地バネ１６とによる６点でプラグシェル２２に接触する。即ち導電性シェル４の側面のみならず上面及び底面に２つずつ電気的接地バネ１４を設けてプラグシェル２２との接地点を増加させたので、高速通信信号による電磁的ノイズの発生を抑制することができる。
【００３８】
この実施の形態に係るＵＳＢ規格準拠レセプタクルコネクタ２によれば、バネ部１２がロック部１２ｂ側から根元部１２ａ側に向かってピッチ方向の外側に屈曲した形状を有していることによってバネ反力にねじりの力が加わりプラグシェル２２の上面及び底面をより強く押し付けるので、ＵＳＢ規格準拠レセプタクルコネクタ２に嵌合しているＵＳＢプラグコネクタ２０の保持を安定させることができる。
【００３９】
また、一般的にＵＳＢ規格準拠レセプタクルコネクタ２をパソコン等の端末装置に実装する際、吸着ノズル等を用いたエア吸着でＵＳＢ規格準拠レセプタクルコネクタ２を搬送している。そのためバネ部１２を屈曲させて根元部１２ａ間に電気的接地バネ形成領域を確保し、その領域に電気的接地バネ１４を形成したことにより、バネ部１２よりも導電性シェル４の後端部側に吸着ノズルを吸着させるための領域を確保して、実装作業における作業性を維持している。
【００４０】
また、電気的接地バネ１４を、導電性シェル４の上面及び底面のシェル中心線３０に対して対称な位置に設けたことにより、電気的接地バネ１４が左右対称の位置でプラグシェル２２の上面及び底面を押し付ける。従ってＵＳＢ規格準拠レセプタクルコネクタ２に嵌合しているＵＳＢプラグコネクタ２０の保持をより安定させることができる。
【００４１】
なお、上述した実施の形態においては、導電性シェル４の上面及び底面において、電気的接地バネ１４を２つずつ形成する場合を例に説明したが、３つずつ形成するようにしてもよい。この場合、２つの電気的接地バネ１４は、シェル中心線３０に対して対称な位置に形成し、もう１つをシェル中心線３０上に形成する。更に電気的接地バネ１４を、上面及び底面においてそれぞれ４つ以上形成するようにしてもよい。
【００４２】
また、上述した実施の形態においては、根元部１２ａ間に電気的接地バネ１４を形成した場合を例に説明したが、これに限らず図５に示すように、ロック部１２ｂよりも導電性シェル４のピッチ方向の側面側の領域５０に電気的接地バネ１４を１つ以上形成してもよい。その場合、領域５０内だけに電気的接地バネ１４を形成するようにしてもよく、また根元部１２ａ間及び領域５０にそれぞれ電気的接地バネ１４を形成するようにしてもよい。
【００４３】
また、上述した実施の形態においては、バネ部１２がロック部１２ｂから根元部１２ａに向かってピッチ方向の外側に屈曲した形状を有している場合を例に説明したが、これに限らず、図６に示すようにバネ部１２が、ロック部１２ｂから根元部１２ａに向かってピッチ方向の内側（導電性シェル４のピッチ方向の中心側）に屈曲している形状を有していてもよい。その場合、バネ部１２は、根元部１２ａとロック部１２ｂとの嵌合方向の中間位置におけるバネ部１２のピッチ方向の幅の中心点の位置が、根元部１２ａのピッチ方向の幅の中心点とロック部１２ｂのピッチ方向の幅の中心点とを結ぶ線よりも、導電性シェル４のピッチ方向の中心点を通り嵌合方向に平行な中心線３８から遠くに配置されるように、ロック部１２ｂから根元部１２ａに向かってピッチ方向の内側に屈曲した形状を有する。
【００４４】
また、図６に示すようにバネ部１２がロック部１２ｂから根元部１２ａに向かってピッチ方向の内側に屈曲している場合、根元部１２ａとロック部１２ｂは、ロック部１２ｂのピッチ方向の幅の中心点よりも、根元部１２ａのピッチ方向の幅の中心点の方が、導電性シェル４の中心線３８の近くに配置されている。また根元部１２ａは、ピッチ方向の中心点を通り嵌合方向に平行な線が、ロック部１２ｂのピッチ方向の位置よりも、ピッチ方向の内側に位置している。
【００４５】
また、図６に示すようにバネ部１２がロック部１２ｂから根元部１２ａに向かってピッチ方向の内側に屈曲している場合、電気的接地バネ１４は、２つのロック部１２ｂ間、即ち導電性シェル４の中心線３８とロック部１２ｂとの間の領域６０のそれぞれに１つ以上形成してもよく、根元部１２ａよりも導電性シェル４のピッチ方向の側面側の領域６２のそれぞれに１つ以上形成してもよい。
【符号の説明】
【００４６】
２…ＵＳＢ規格準拠レセプタクルコネクタ、４…導電性シェル、６…半田ツメ、１２…バネ部、１２ａ…根元部、１２ｂ…ロック部、１４、１６…電気的接地バネ、２０…ＵＳＢプラグコネクタ、２２…プラグシェル、２４…開口部。
【図１】
2016106343.tif 000003
【図２】
2016106343.tif 000004
【図３】
2016106343.tif 000005
【図４】
2016106343.tif 000006
【図５】
2016106343.tif 000007
【図６】
2016106343.tif 000008